【手続補正書】
【提出日】平成18年2月13日(2006.2.13)
【手続補正１】
【補正対象書類名】明細書
【補正対象項目名】特許請求の範囲
【補正方法】変更
【補正の内容】
【特許請求の範囲】
【請求項１】グラフィックスメモリシステムであって、
第１の量のＺ座標およびピクセルカラーを受け取るメモリコントローラであって、それぞれの該ピクセルカラーは、表示画面上の１つの位置に関連し、それぞれの該Ｚ座標は、ピクセルの３次元空間の深さを表し、それぞれの該ピクセルカラーは、関連する行および列アドレスを持ち、それぞれの該行および列アドレスは、それぞれの該ピクセルカラーがメモリ要素の所定のメモリ場所に関連するよう、該メモリ要素の該メモリ場所に対応する、メモリコントローラを備え、
前記メモリコントローラは、前記メモリ要素から複数のＺ座標を受け取り、該メモリ要素から受け取ったそれぞれの該Ｚ座標を、Ｚ比較テストに従って、前記第１の量のそれぞれのＺ座標と比較し、該第１の量の比較されたＺ座標に関連するピクセルカラーが、前記メモリ要素に書き込まれるべきかどうか判断し、
前記第１の量のＺ座標が前記Ｚ比較テストを通過したならば、該Ｚ座標に関連するピクセルカラーが前記メモリ要素に格納されるべきと判断し、
前記第１の量のＺ座標のすべてについて前記Ｚ比較テストが実行された後、該Ｚ比較テストを通過したＺ座標に関連するピクセルカラーが、該ピクセルに関連するメモリ場所において前記メモリ要素に格納され、
前記メモリ要素は、イメージバッファ領域およびＺバッファ領域を備えており、該イメージバッファ領域は、該Ｚバッファ領域から分離されており、Ｚ座標は該Ｚバッファ領域に格納され、ピクセルカラーは該イメージバッファ領域に格納される、
グラフィックスメモリシステム。
【請求項２】さらに、第２の量のＺ座標およびピクセルカラーを受け取る第２のメモリコントローラを備え、
該第２の量のそれぞれの該ピクセルカラーは、表示画面上の１つの位置に関連しており、該第２の量のそれぞれの該Ｚ座標は、ピクセルの３次元空間の深さを表し、該第２の量のそれぞれの該ピクセルカラーは、関連する行および列アドレスを持ち、該第２の量のそれぞれのピクセルカラーのそれぞれの該行および列アドレスは、該それぞれのピクセルカラーが、メモリ要素の所定のメモリ場所に関連するよう、該第２のメモリ要素の該メモリ場所に対応しており、
前記第２のメモリコントローラは、前記第２のメモリ要素から複数のＺ座標を受け取り、該第２のメモリ要素から受け取ったそれぞれの該Ｚ座標を、前記Ｚ比較テストに従って、前記第２の量のそれぞれの前記Ｚ座標と比較し、該第２の量の比較されたＺ座標に関連するピクセルカラーが前記第２のメモリ要素に書き込まれるべきかどうか判断し、
前記第２の量のＺ座標が前記Ｚ比較テストを通過したならば、該Ｚ比較テストを通過した該第２の量の比較されたＺ座標に関連するピクセルカラーが、前記第２のメモリ要素に格納されるべきと判断し、
前記第２の量のＺ座標のすべてについて前記Ｚ比較テストが実行された後、該Ｚ比較テストを通過したＺ座標に関連するピクセルカラーが、前記ピクセルに関連するメモリ場所において、前記第２のメモリ要素に格納され、
前記Ｚ座標の処理は、前記第１および第２のメモリコントローラのうちの一方により実行され、前記ピクセルカラーの処理は、該第１および第２のメモリコントローラのうちの他方により実行される、
請求項１に記載のグラフィックスメモリシステム。
【請求項３】前記第１および第２の量は、バッチを構成し、前記第１の量の複数のピクセルカラーは、前記第２の量の複数のＺ座標に関連し、前記第２の量の複数のピクセルカラーは、前記第１の量の複数のＺ座標に関連する、
請求項２に記載のグラフィックスメモリシステム。
【請求項４】前記第２のメモリ要素は、イメージバッファ領域およびＺバッファ領域を備え、
該第２のメモリ要素のイメージバッファ領域は、該第２のメモリ要素のＺバッファ領域から分離されており、
Ｚ座標は、該第２のメモリ要素のＺバッファ領域に格納され、ピクセルカラーは、該第２のメモリのイメージバッファ領域に格納される、
請求項２に記載のグラフィックスメモリシステム。
【請求項５】前記第１の量の比較テストの結果は、前記第１および第２のメモリコントローラに提供され、前記第２の量の比較テストの結果は、前記第１および第２のメモリコントローラに提供される、
請求項２に記載のグラフィックスメモリシステム。
【請求項６】グラフィックスメモリシステムにおいてＺ座標およびピクセルカラーを処理するための方法であって、
複数のＺ座標を、フレームバッファメモリに格納するステップと、
複数のピクセルカラーを、前記フレームバッファメモリに格納するステップと、
所定量の新しいＺ座標および新しいピクセルカラーを、前記グラフィックスメモリシステムで受け取るステップであって、該新しいＺ座標のそれぞれが、該新しいピクセルカラーのうちの１つに関連している、ステップと、
複数の前記新しいＺ座標および前記新しいピクセルカラーを、第１のメモリコントローラで受け取るステップと、
複数の前記Ｚ座標を、前記フレームバッファメモリから前記第１のメモリコントローラに読み出すステップと、
前記第１のコントローラにおいて、前記フレームバッファメモリから読み出したＺ座標のそれぞれを、前記新しいＺ座標と比較し、該比較した新しいＺ座標のそれぞれが、Ｚ比較テストに通過するかしないかを判断するステップと、
前記新しいＺ座標が前記Ｚ比較テストを通過したならば、該通過した新しいＺ座標を、前記フレームバッファメモリに記憶すると共に、該通過したＺ座標に関連する前記新しいピクセルカラーを、該フレームバッファメモリに記憶するステップと、を含み、
前記フレームバッファメモリは、イメージバッファ領域およびＺバッファ領域を備えており、該イメージバッファ領域は、該Ｚバッファ領域から分離されており、Ｚ座標は該Ｚバッファ領域に格納され、ピクセルカラーは該イメージバッファ領域に格納される、
方法。
【請求項７】前記新しいピクセルカラーを前記フレームバッファメモリに格納するに先立ち、前記Ｚ比較テストを通過した前記新しいＺ座標に関連する前記新しいピクセルカラーは、第１の書き込みピクセルＦＩＦＯに書き込まれ、前記新しいＺ座標のすべてが、前記フレームバッファメモリから読み出されたＺ座標と比較されたならば、該第１の書き込みピクセルＦＩＦＯに含まれる前記新しいピクセルカラーのすべてが、前記フレームバッファメモリに格納される、
請求項６に記載の方法。
【請求項８】さらに、
複数の前記新しいＺ座標および前記新しいピクセルカラーを、第２のメモリコントローラで受け取るステップと、
前記フレームバッファメモリから読み出したＺ座標を、前記第２のメモリコントローラで受け取った新しいＺ座標と比較し、該第２のメモリコントローラで受け取った新しいＺ座標のそれぞれが、前記Ｚ比較テストを通過するかしないかを判断するステップと、
前記新しいＺ座標が、前記Ｚ比較テストを通過したならば、前記第２のメモリコントローラでの該Ｚ比較テストを通過した新しいＺ座標に関連する新しいピクセルカラーの値を、前記フレームバッファメモリに格納すると共に、該第２のメモリコントローラでの該Ｚ比較テストを通過した新しいＺ座標を、該フレームバッファメモリに格納するステップと、
を含む、請求項６に記載の方法。
【請求項９】前記第２のメモリコントローラでの前記Ｚ比較テストを通過した新しいＺ座標に関連する新しいピクセルカラーを、前記フレームバッファメモリに格納するのに先立ち、該第２のメモリコントローラでの該Ｚ比較テストを通過した新しいＺ座標に関連する該新しいピクセルカラーを、第２の書き込みピクセルＦＩＦＯに書き込み、
前記第２のメモリコントローラにおいて、前記新しいＺ座標のすべてが比較されたならば、前記第２の書き込みピクセルＦＩＦＯに含まれる新しいピクセルカラーのすべてを、前記フレームバッファメモリに格納する、
請求項８に記載の方法。
【請求項１０】前記第１のメモリコントローラでの前記Ｚ比較テストを通過した新しいＺ座標に関連する新しいピクセルカラーは、前記第２のメモリコントローラに受け取られ、前記第１の書き込みピクセルＦＩＦＯは、前記第２のメモリコントローラに備えられ、該第２の書き込みピクセルＦＩＦＯは、前記第２のメモリコントローラに備えられる、
請求項９に記載の方法。
【請求項１１】前記第２のメモリコントローラでの前記Ｚ比較テストを通過した新しいＺ座標に関連する新しいピクセルカラーは、前記第１のメモリコントローラに受け取られ、前記第１の書き込みピクセルＦＩＦＯは、前記第１のメモリコントローラに備えられ、前記第２の書き込みピクセルＦＩＦＯは、前記第２のメモリコントローラに備えられる、
請求項９に記載の方法。